(57)【要約】【課題】ライブビュー（ＬＶ）撮影モードで特定の撮影機能の設定を行った状態で、オートパワーオフにより待機状態になったときに、オートパワーオフ前の状態に簡単に戻れるようにする。【解決手段】カメラ１００は、ミラーダウンしたファインダ撮影モードと、ミラーアップしてＬＶ表示を行うＬＶ撮影モードとを切り替えることができ、電源オフ操作により電源オフ状態になった場合、及びオートパワーオフにより待機状態になった場合のいずれも、ミラーダウン発生により、その後に電源オン状態になったときにファインダ撮影モードに遷移する。システム制御部５０は、ＬＶ撮影モードでＬＶ撮影専用の撮影機能の設定を行った状態で、オートパワーオフにより待機状態になる際に、ＬＶ撮影専用の撮影機能の設定をシステムメモリ５２に記憶するように制御する。【選択図】図４
2020118860.tif 000002
【特許請求の範囲】
【請求項１】
ファインダ撮影モードとライブビュー撮影モードとを切り替える撮像装置であって、
電源オフ操作により電源オフ状態になった場合、及びオートパワーオフにより待機状態になった場合のいずれも、その後に電源オン状態になったときにファインダ撮影モードに遷移するようにし、
ライブビュー撮影モードで特定の撮影機能の設定を行った状態で、オートパワーオフにより待機状態になる際に、前記特定の撮影機能の設定を記憶手段に記憶するように制御する制御手段を備えたことを特徴とする撮像装置。
【請求項２】
ライブビュー撮影モードで特定の撮影機能の設定を行った状態で、オートパワーオフにより待機状態になった場合、その後に電源オン状態になったとき、ライブビュー撮影モードへの遷移を促すガイダンスを通知する通知手段を備えたことを特徴とする請求項１に記載の撮像装置。
【請求項３】
前記通知手段は、前記特定の撮影機能を利用可能な状態にするためのガイダンスを更に通知することを特徴とする請求項２に記載の撮像装置。
【請求項４】
前記通知手段は、表示部に前記ガイダンスを表示するとともに、前記表示部の状態に応じて前記ガイダンスの表示を行うか否かを決定することを特徴とする請求項２又は３に記載の撮像装置。
【請求項５】
前記特定の撮影機能は、自分撮り機能であることを特徴とする請求項１乃至４のいずれか１項に記載の撮像装置。
【請求項６】
前記特定の撮影機能は、フォーカスブラケット撮影機能であることを特徴とする請求項１乃至４のいずれか１項に記載の撮像装置。
【請求項７】
前記制御手段は、ライブビュー撮影モードで特定の撮影機能の設定を行った状態で、電源オフ操作により電源オフ状態になる際に、前記特定の撮影機能の設定のうち少なくとも一部を初期設定にするように制御することを特徴とする請求項１乃至６のいずれか１項に記載の撮像装置。
【請求項８】
前記特定の撮影機能の設定には、前記特定の撮影機能の使用の有無を示す設定項目が含まれており、
前記制御手段は、前記特定の撮影機能の使用の有無を示す設定項目を、初期設定である使用無しにすることを特徴とする請求項７に記載の撮像装置。
【請求項９】
前記制御手段は、ライブビュー撮影モードで特定の撮影機能の設定を行った状態で、オートパワーオフにより待機状態になる際に、当該撮像装置を支持台に設置することが検知された場合に、前記特定の撮影機能の設定を前記記憶手段に記憶するように制御することを特徴とする請求項１乃至８のいずれか１項に記載の撮像装置。
【請求項１０】
前記制御手段は、ライブビュー撮影モードで特定の撮影機能の設定を行った状態で、オートパワーオフにより待機状態になる際に、オートパワーオフ時間が所定の時間よりも短い場合に、前記特定の撮影機能の設定を前記記憶手段に記憶するように制御することを特徴とする請求項１乃至９のいずれか１項に記載の撮像装置。
【請求項１１】
前記制御手段は、前記ガイダンスを通知しているとき、所定の操作を受け付けて、前記所定の操作に基づく処理を実行することを特徴とする請求項２乃至４のいずれか１項に記載の撮像装置。
【請求項１２】
前記特定の操作は、撮影操作であることを特徴とする請求項１１に記載の撮像装置。
【請求項１３】
ファインダ撮影モードとライブビュー撮影モードとを切り替える撮像装置を制御する撮像装置の制御方法であって、
電源オフ操作により電源オフ状態になった場合、及びオートパワーオフにより待機状態になった場合のいずれも、その後に電源オン状態になったときにファインダ撮影モードに遷移するようにし、
ライブビュー撮影モードで特定の撮影機能の設定を行った状態で、オートパワーオフにより待機状態になる際に、前記特定の撮影機能の設定を記憶手段に記憶するように制御することを特徴とする撮像装置の制御方法。
【請求項１４】
コンピュータを、請求項１乃至１２のいずれか１項に記載された撮像装置の各手段として機能させるためのプログラム。
【請求項１５】
コンピュータを、請求項１乃至１２のいずれか１項に記載された撮像装置の各手段として機能させるためのプログラムを格納したコンピュータが読み取り可能な記憶媒体。
【発明の詳細な説明】
【技術分野】
【０００１】
本発明は、ファインダ撮影モードとライブビュー撮影モードとを切り替える撮像装置、その制御方法、プログラム及び記憶媒体に関する。
【背景技術】
【０００２】
デジタルカメラにおいては、ファインダ撮影モードとライブビュー撮影モードとを切り替えることのできる機種がある（例えば特許文献１を参照）。このような機種では、ライブビュー撮影モードで使用中に、無操作時間が一定時間以上発生してオートパワーオフにより待機状態になると、ミラーダウンが発生する。そのため、ライブビュー撮影モードが解除されて、待機状態からの復帰時にはファインダ撮影モードに遷移する。
【先行技術文献】
【特許文献】
【０００３】
【特許文献１】特開２００６−１６３０９４号公報
【発明の概要】
【発明が解決しようとする課題】
【０００４】
ここで、例えばライブビュー撮影モードで撮影設定を行った後、被写体を撮影するためにデジタルカメラを三脚に設置しようとした場合を考える。このとき、三脚に設置する作業に時間がかかって、オートパワーオフにより待機状態になると、ミラーダウンが発生するため、ライブビュー撮影モードが解除されて、待機状態からの復帰時にはファインダ撮影モードに遷移する。その結果、先ほど設定した撮影設定が解除されてしまうため、待機状態からの復帰時に、撮影設定の再設定及びライブビュー撮影モードに遷移する操作を行わなければならず、その煩わしさが課題となる。
【０００５】
本発明は上記のような点に鑑みてなされたものであり、ライブビュー撮影モードで特定の撮影機能の設定を行った状態で、オートパワーオフにより待機状態になったときに、オートパワーオフ前の状態に簡単に戻れるようにすることを目的とする。
【課題を解決するための手段】
【０００６】
本発明の撮像装置は、ファインダ撮影モードとライブビュー撮影モードとを切り替える撮像装置であって、電源オフ操作により電源オフ状態になった場合、及びオートパワーオフにより待機状態になった場合のいずれも、その後に電源オン状態になったときにファインダ撮影モードに遷移するようにし、ライブビュー撮影モードで特定の撮影機能の設定を行った状態で、オートパワーオフにより待機状態になる際に、前記特定の撮影機能の設定を記憶手段に記憶するように制御する制御手段を備えたことを特徴とする。
【発明の効果】
【０００７】
本発明によれば、ライブビュー撮影モードで特定の撮影機能の設定を行った状態で、オートパワーオフにより待機状態になったときに、オートパワーオフ前の状態に簡単に戻ることができる。
【図面の簡単な説明】
【０００８】
【図１】第１の実施形態に係るデジタル一眼レフカメラの外観を示す図である。
【図２】第１の実施形態に係るデジタル一眼レフカメラの構成例を示すブロック図である。
【図３】バリアングルモニタを説明するための図である。
【図４】第１の実施形態におけるカメラ起動処理を示すフローチャートである。
【図５】第１の実施形態における撮影モード処理の詳細を説明するためのフローチャートである。
【図６】第１の実施形態における表示処理の詳細を説明するためのフローチャートである。
【図７】第１の実施形態におけるＭＥＮＵ画面表示処理の詳細を説明するためのフローチャートである。
【図８】ガイダンス画面の例を示す図である。
【図９】ＭＥＮＵ画面の例を示す図である。
【図１０】第２の実施形態における撮影モード処理の詳細を説明するためのフローチャートである。
【図１１】第３の実施形態におけるカメラ起動処理を示すフローチャートである。
【図１２】第３の実施形態における表示処理の詳細を説明するためのフローチャートである。
【図１３】第３の実施形態におけるＭＥＮＵ画面表示処理の詳細を説明するためのフローチャートである。
【発明を実施するための形態】
【０００９】
以下、添付図面を参照して、本発明の好適な実施形態について説明する。
［第１の実施形態］
図１、図２を参照して、撮像装置の一例であるデジタル一眼レフカメラ（以下、カメラと称する）１００を説明する。
図１（ａ）は、カメラ１００の正面斜視図であり、図１（ｂ）は、カメラ１００の背面斜視図である。また、図２は、カメラ１００の構成例を示すブロック図である。
【００１０】
まず、図１を参照して、カメラ１００の構成を説明する。
カメラ１００には、図２のレンズユニット１５０が装着可能である。レンズユニット１５０を装着するためのマウント部には、カメラ１００がレンズユニット１５０と通信を行うための通信端子１０が配置される。
カメラ１００の内部には、クイックリターンミラー１２（以下、ミラー１２と称する）が設けられる。ミラー１２は、図２のシステム制御部５０の制御下で、不図示のアクチュエータによりアップダウンされる。
カメラ１００の正面の片側には、ユーザがカメラ１００を構えた際に右手で握りやすい形状としたグリップ部９０が配置される。また、カメラ１００の上部には、閃光装置であるフラッシュ１９が配置される。
【００１１】
カメラ１００の背面には、バリアングルモニタ２６が配置される。バリアングルモニタ２６は、画像や各種情報を表示する表示部２８が配置された筐体であり、ヒンジ部２７を介してカメラ１００に回動可能に接続される。
カメラ１００の背面の上部には、接眼ファインダ１６が配置される。接眼ファインダ１６は、レンズユニット１５０を通して得た被写体の光学像の焦点や構図の確認を行うための覗き込み型のファインダである。
【００１２】
カメラ１００には、モード切り替えスイッチ６０、シャッターボタン６１、電源スイッチ７２が配置される。モード切り替えスイッチ６０は、各種モードを切り替えるのに用いられる。シャッターボタン６１は、撮影操作を行うのに用いられる。電源スイッチ７２は、カメラ１００の電源のオン及びオフを切り替えるのに用いられる。
【００１３】
また、カメラ１００には、メイン電子ダイヤル７１、サブ電子ダイヤル７３、十字キー７４、ＳＥＴボタン７５、ＬＶ（ライブビュー）ボタン７６、拡大ボタン７７、再生ボタン７８、ＭＥＮＵボタン７９が配置される。メイン電子ダイヤル７１は、回転操作部材であり、シャッター速度や絞り等の設定値の変更等に用いられる。サブ電子ダイヤル７３は、回転操作部材であり、選択枠の移動や画像送り等に用いられる。十字キー７４は、上、下、左、右部分をそれぞれ押し込み可能な十字キーであり、押した部分に応じた操作が可能である。ＳＥＴボタン７５は、押しボタンであり、主に選択項目の決定等に用いられる。ＬＶボタン７６は、静止画撮影モードにおいてＬＶのオン及びオフを切り替えるのに用いられる。動画撮影モードにおいては、動画撮影（記録）の開始、停止の指示に用いられる。拡大ボタン７７は、撮影モードのＬＶ表示において拡大モードのオン及びオフ、及び拡大モード中の拡大率の変更を行うのに用いられる。再生モードにおいては再生画像を拡大し、拡大率を増加させるための拡大ボタンとして機能する。再生ボタン７８は、撮影モード及び再生モードを切り替えるのに用いられる。撮影モード中に再生ボタン７８を押すことで再生モードに移行し、記録媒体２００に記録された画像のうち最新の画像を表示部２８に表示させることができる。ＭＥＮＵボタン７９は、撮影モード及びメニューモードを切り替えるのに用いられる。
【００１４】
カメラ１００は、図２のメモリカード等の記録媒体２００を格納するスロットを有し、スロットは蓋２０２で閉じられる。
カメラ１００は、外部機器との接続ケーブルと接続するコネクタを有し、コネクタは端子カバー４０により保護される。
【００１５】
次に、図２を参照して、カメラ１００の構成を説明する。
レンズユニット１５０において、絞り１０２及びレンズ１０３が搭載される。レンズ１０３は通常、複数枚のレンズから構成されるが、ここでは簡略して一枚のレンズのように示す。通信端子６は、カメラ１００の通信端子１０と接触して、レンズユニット１５０がカメラ１００と通信を行うための通信端子である。レンズユニット１５０は、通信端子６、１０を介してシステム制御部５０と通信し、レンズシステム制御回路４の制御下、絞り駆動回路２を介して絞り１０２の制御を行い、ＡＦ駆動回路３を介してレンズ１０３の位置を変位させることで焦点を合わせる。発光制御部５は、発光体７を制御し、発光体７の発光タイミング、発光量の調整を行う。発光体７は、ＬＥＤ発光タイプ、閃光発光タイプ等いずれのものでもよい。
【００１６】
カメラ１００において、ＡＥセンサー１７は、レンズユニット１５０を通した被写体の輝度を測光する。焦点検出部１１は、システム制御部５０にデフォーカス量情報を出力する。システム制御部５０は、それに基づいてレンズユニット１５０を制御し、位相差ＡＦを行う。
ミラー１２は、露光、ライブビュー撮影、動画撮影の際に、システム制御部５０の制御下で、不図示のアクチュエータによりアップダウンされる。ミラー１２は、レンズ１０３から入射した光束をファインダ１６側と撮像部２２側とに切替える。ミラー１２は、通常時はファインダ１６に光束を導くよう反射させるように配されているが（ミラーダウン）、撮影が行われる場合やＬＶ表示の場合には、撮像部２２に光束を導くように上方に跳ね上がり光束中から待避する（ミラーアップ）。また、ミラー１２は、その中央部が光の一部を透過できるようにハーフミラーとなっており、光束の一部を、焦点検出を行うための焦点検出部１１に入射するように透過させる。撮影者は、ペンタプリズム１４とファインダ１６を介して、フォーカシングスクリーン１３を観察することで、レンズユニット１５０を通して得た被写体の光学像の焦点や構図を確認することができる。
【００１７】
フォーカルプレーンシャッター１０１は、システム制御部５０の制御下で、撮像部２２の露光時間を制御する。撮像部２２は、光学像を電気信号に変換するＣＣＤやＣＭＯＳ素子等で構成される撮像素子である。Ａ／Ｄ変換器２３は、撮像部２２から出力されるアナログ信号をデジタル信号に変換する。
画像処理部２４は、Ａ／Ｄ変換器２３からのデータ、又は、メモリ制御部１５からのデータに対し所定の画素補間、縮小といったリサイズ処理や色変換処理を行う。また、画像処理部２４は、撮像した画像データを用いて所定の演算処理を行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。また、画像処理部２４は、撮像した画像データを用いて所定の演算処理を行い、得られた演算結果に基づいてＴＴＬ方式のＡＷＢ（オートホワイトバランス）処理も行う。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像及び音声を格納するのに十分な記憶容量を備える。また、メモリ３２は、画像表示用のメモリ（ビデオメモリ）を兼ねる。Ｄ／Ａ変換器２５は、メモリ３２に格納されている画像表示用のデータをアナログ信号に変換して表示部２８に供給する。こうして、メモリ３２に書き込まれた表示用の画像データはＤ／Ａ変換器２５を介して表示部２８により表示される。
表示部２８は、ＬＣＤ等の表示器上に、Ｄ／Ａ変換器２５からのアナログ信号に応じた表示を行う。Ａ／Ｄ変換器２３によって一度Ａ／Ｄ変換されメモリ３２に蓄積されたデジタル信号をＤ／Ａ変換器２５においてアナログ変換し、表示部２８に逐次転送して表示することで、電子ビューファインダとして機能し、ＬＶ表示（スルー画表示）が行われる。
【００１９】
不揮発性メモリ５６は、電気的に消去・記録可能なメモリであり、例えばＥＥＰＲＯＭ等が用いられる。不揮発性メモリ５６は、システム制御部５０の動作用の定数、プログラム等を記憶する。ここでいう、プログラムとは、本実施形態にて後述するフローチャートを実行するためのプログラムのことである。
システム制御部５０は、カメラ１００全体を制御する。システム制御部５０が、不揮発性メモリ５６に記憶されたプログラムを実行することで、本実施形態にて後述するフローチャートを実行する。
システムメモリ５２は、例えばＲＡＭが用いられる。システムメモリ５２には、システム制御部５０の動作用の定数、変数、不揮発性メモリ５６から読み出したプログラム等を展開する。また、システム制御部５０は、メモリ３２、Ｄ／Ａ変換器２５、表示部２８等を制御することにより表示制御も行う。
【００２０】
システムタイマー５３は、各種制御に用いる時間や、内蔵された時計の時間を計測する計時部である。
フラッシュ制御回路５４は、フラッシュ１９を制御し、フラッシュ１９のポップアップや発光タイミング、発光量の調整を行う。
【００２１】
モード切り替えスイッチ６０、シャッターボタン６１の操作によりオンされる第１シャッタースイッチ６２及び第２シャッタースイッチ６４、操作部７０は、システム制御部５０に各種の動作指示を入力する。
モード切り替えスイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。或いは、モード切り替えスイッチ６０で、静止画撮影モードに一旦切り替えた後に、静止画撮影モードに含まれるこれらのモードのいずれかに、他の操作部材を用いて切り替えるようにしてもよい。同様に、動画撮影モードにも複数のモードが含まれていてもよい。
【００２２】
第１シャッタースイッチ６２は、シャッターボタン６１の操作途中、いわゆる半押し（撮影準備指示）でオンとなり、第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。第２シャッタースイッチ６４は、シャッターボタン６１の操作完了、いわゆる全押し（撮影指示）でオンとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２３】
操作部７０は、ユーザからの操作を受け付ける各種操作部材である。操作部７０には、既述したメイン電子ダイヤル７１、サブ電子ダイヤル７３、十字キー７４、ＳＥＴボタン７５、ＬＶ（ライブビュー）ボタン７６、拡大ボタン７７、再生ボタン７８、ＭＥＮＵボタン７９が含まれる。また、操作部７０には、表示部２８と一体的に構成され、表示部２８に対する接触を検出可能なタッチパネルが含まれる。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部に供給する。電源部３０は、アルカリ電池やリチウム電池等の一次電池やＮｉＣｄ電池やＮｉＭＨ電池、Ｌｉ電池等の二次電池、ＡＣアダプター等からなる。
通信制御部８２は、アクセサリーユニットの機能を利用するために通信方法の確立や情報通信を行う。
記録媒体Ｉ/Ｆ１８は、記録媒体２００とのインターフェースである。記録媒体２００は、撮影された画像を記録するためのメモリカード等の記録媒体であり、半導体メモリや磁気ディスク等から構成される。
【００２５】
次に、図３を参照して、バリアングルモニタ２６について説明する。なお、図３に示すカメラ１００の細部は、図１に示すものと相違するが、バリアングルモニタ２６の動きは同様であり、図３を参照して説明する。
バリアングルモニタ２６は、図３（ａ）〜（ｄ）に示すように、カメラ１００に対して上下左右に回動可能である。システム制御部５０は、バリアングルモニタ２６がどの位置にあるかを検知することができる。
図３（ａ）、（ｂ）に示すのは、バリアングルモニタ２６が折り畳まれて、カメラ１００の背面に収納された状態である。図３（ａ）では、表示部２８が背面方向を向き、表示部２８を見ることができる。図３（ｂ）では、表示部２８がカメラ１００の背面に対向し、表示部２８を見ることができない。
図３（ｃ）、（ｄ）に示すのは、バリアングルモニタ２６がカメラ１００の側方に位置するように開かれた状態である。図３（ｃ）では、表示部２８が背面方向を向き、表示部２８を見ることができる。図３（ｄ）では、表示部２８が正面方向を向き、被写体に対面して、被写体側から表示部２８を見ることができる。
【００２６】
以上のようにしたカメラ１００は、ミラーダウンしたファインダ撮影モードと、ミラーアップしてＬＶ表示を行うＬＶ撮影モードとを切り替えることができる。
また、カメラ１００は、オートパワーオフ機能を有し、無操作時間が一定時間以上発生することにより、待機状態（以下、オートパワーオフ状態と呼ぶ）に遷移する。電源スイッチ７２の電源オフ操作による電源オフ状態では、電源スイッチ７２の電源オン操作で電源オン状態に復帰し、それ以外の操作では電源オン状態に復帰しない。それに対して、オートパワーオフ状態では、一部の操作部材の操作を検出するようになっており、一部の操作部材の操作で電源オン状態に復帰する。このようなオートパワーオフ機能により、電力消費を抑えることができる。
【００２７】
以下、図４〜図９を参照して、実施形態に係るカメラ１００の動作を説明する。
図４は、カメラ１００のカメラ起動処理を示すフローチャートである。このフローチャートの処理は、システム制御部５０が、不揮発性メモリ５６に記憶されたプログラムを読み出し、システムメモリ５２に展開して実行することにより実現される。
【００２８】
ステップＳ１０１で、システム制御部５０は、フラグや制御変数等を初期化する。
システム制御部５０は、復帰状態を「ファインダ撮影」に初期設定する。復帰状態は、電源オフ操作による電源オフ状態やオートパワーオフ状態からの復帰時に、ファインダ撮影モードやＬＶ撮影モードのどの通常状態に復帰するのかを示す。復帰状態には、ファインダ撮影モードを示す「ファインダ撮影」、ＬＶ撮影モードを示す「ＬＶ撮影」がある。
また、システム制御部５０は、ＬＶ撮影専用機能を「ＦＡＬＳＥ」に初期設定する。ＬＶ撮影専用機能は、カメラ１００で使用されている撮影機能が特定の撮影機能であるか否か、ここではＬＶ撮影専用の撮影機能であるか否かを示すフラグである。ＬＶ撮影専用の撮影機能は、表示部２８に表示されたスルー画を見ながら撮影を行う機能が該当し、例えば自分撮り機能や、異なる複数のピントを同時に記録するフォーカスブラケット撮影機能がある。自分撮り機能では自分自身の撮影を行うことができる。また、フォーカスブラケット撮影機能では、進捗状況を確認しながら撮影を行うことができる。
【００２９】
ステップＳ１０２で、システム制御部５０は、システムメモリ５２から撮影設定を読み出す。撮影設定とは、例えば上述した自分撮り機能の設定や、フォーカスブラケット撮影機能の設定である。自分撮り機能の設定には、自分撮り機能の使用の有無を示す設定項目が含まれる。また、フォーカスブラケット撮影機能の設定には、フォーカスブラケット撮影機能の使用の有無を示す設定項目、撮影回数を示す設定項目、ステップ幅を示す設定項目が含まれる。
【００３０】
ステップＳ１０３で、システム制御部５０は、システムタイマー５３を起動し、オートパワーオフタイマーのカウントを開始する。
【００３１】
ステップＳ１０４で、システム制御部５０は、モード切り替えスイッチ６０の設定位置を判定する。撮影モードに設定されている場合、ステップＳ１０６に進み、それ以外に設定されている場合、ステップＳ１０５に進む。
ステップＳ１０５で、システム制御部５０は、モード切り替えスイッチ６０の設定位置を判定する。再生モードに設定されている場合、ステップＳ１０７に進み、それ以外に設定されている場合、ステップＳ１０８に進む。
【００３２】
ステップＳ１０６で、システム制御部５０は、撮影モード処理を行う。撮影モード処理の詳細は後述する。
ステップＳ１０７で、システム制御部５０は、再生モード処理を行う。
ステップＳ１０８で、システム制御部５０は、その他のモード処理を行う。その他のモードとしては、記録媒体２００に格納されたファイルの送受信を行う通信モード等がある。
【００３３】
ステップＳ１０９で、システム制御部５０は、オートパワーオフタイマーがオートパワーオフ時間を満了しているか否か、すなわち無操作時間が一定時間以上発生しているか否かを判定する。オートパワーオフ時間は、予め設定メニューで設定されている。オートパワーオフタイマーがオートパワーオフ時間を満了している場合、ステップＳ１１０に進み、満了していない場合、ステップＳ１１７に進む。
【００３４】
ステップＳ１１０で、システム制御部５０は、システムメモリ５２に撮影設定を記憶する。撮影設定とは、例えば上述した自分撮り機能の設定や、フォーカスブラケット撮影機能の設定である。自分撮り機能の設定には、自分撮り機能の使用の有無を示す設定項目が含まれる。また、フォーカスブラケット撮影機能の設定には、フォーカスブラケット撮影機能の使用の有無を示す設定項目、撮影回数を示す設定項目、ステップ幅を示す設定項目が含まれる。
ステップＳ１１１で、システム制御部５０は、ミラーダウンを行う。既にミラーダウンが行われている場合は何も行わない。
【００３５】
ステップＳ１１２で、システム制御部５０は、システムメモリ５２に記憶されたＬＶ撮影専用機能が「ＴＲＵＥ」であるか否かを判定する。ＬＶ撮影専用機能が「ＴＲＵＥ」である場合、ステップＳ１１３に進み、それ以外に設定されている場合、ステップＳ１１４に進む。
ステップＳ１１３で、システム制御部５０は、システムメモリ５２に記憶する復帰状態を「ＬＶ撮影」に設定する。
ステップＳ１１４で、システム制御部５０は、システムメモリ５２に記憶する復帰状態を「ファインダ撮影」に設定する。
【００３６】
ステップＳ１１５で、システム制御部５０は、電源スイッチ７２の電源オフ操作があるか否かを判定する。電源オンに設定されている場合、ステップＳ１１６に進み、電源オフに設定されている場合、ステップＳ１１８に進む。
ステップＳ１１６で、システム制御部５０は、操作部７０の操作によりオートパワーオフ復帰ボタンが押されたか否かを判定する。オートパワーオフ復帰ボタンが押された場合、ステップＳ１０２に進み、押されていない場合、ステップＳ１１５に進む。
【００３７】
ステップＳ１１７で、システム制御部５０は、電源スイッチ７２の電源オフ操作があるか否かを判定する。電源オンに設定されている場合、ステップＳ１０４に進み、電源オフに設定されている場合、ステップＳ１１８に進む。
ステップＳ１１８で、システム制御部５０は、システムメモリ５２の撮影設定を忘れる。ここで、撮影設定を忘れるとは、上述した自分撮り機能の使用の有無を示す設定項目や、フォーカスブラケット撮影機能の使用の有無を示す設定項目等を初期設定にすることを意味する。例えばフォーカスブラケット撮影機能の設定としては、撮影回数やステップ幅をシステムメモリ５２に記憶するが、フォーカスブラケット撮影の「する」設定（フォーカスブラケット撮影機能の使用有り）は忘れ、初期設定となる「しない」設定（フォーカスブラケット撮影機能の使用無し）にする。電源オフ操作により電源オフ状態になり、その後に電源オン状態になったときにファインダ撮影モードに遷移するが、ファインダ撮影モードではフォーカスブラケット撮影機能は利用できないためである。
ステップＳ１１９で、システム制御部５０は、ミラーダウンを行う。既にミラーダウンが行われている場合は何も行わない。
ステップＳ１２０で、システム制御部５０は、電源オフ処理を行い、カメラ起動処理を終了する。
【００３８】
このように、電源オフ操作により電源オフ状態になった場合、及びオートパワーオフ状態になった場合のいずれも、ミラーダウン発生により、その後に電源オン状態になったときにファインダ撮影モードに遷移する。そして、ＬＶ撮影モードでＬＶ撮影専用の撮影機能の設定を行った状態で、オートパワーオフ状態になる際には、ＬＶ撮影専用の撮影機能の設定を記憶する動作となる。また、ＬＶ撮影モードでＬＶ撮影専用の撮影機能の設定を行った状態で、電源オフ操作により電源オフ状態になる際には、ＬＶ撮影専用の撮影機能の使用の有無を示す設定項目を忘れる動作となる。
【００３９】
図５は、ステップＳ１０６の撮影モード処理の詳細を説明するためのフローチャートである。
ステップＳ２０１で、システム制御部５０は、撮影モード初期化処理を行う。撮影モード初期化処理とは、撮影モードに関するフラグや制御変数等を含むパラメータや設定値、設定モードを不揮発性メモリ５６から読み出す等の処理である。また、記録媒体２００の状態を確認し、異常等があれば後述の撮影情報表示時に警告等を表示する。
【００４０】
ステップＳ２０２で、システム制御部５０は、表示処理を行う。
ここで、図６を参照して、表示処理の詳細を説明する。図６は、ステップＳ２０２の表示処理の詳細を説明するためのフローチャートである。
ステップＳ３０１で、システム制御部５０は、制御変数となるＬＶ状態が「ＯＦＦ」であるか否かを判定する。ＬＶ状態が「ＯＦＦ」である場合、ステップＳ３０２に進み、そうでない場合、ステップＳ３０７に進む。ＬＶ状態には「ＯＮ」と「ＯＦＦ」の２つの値がある。ＬＶ状態が「ＯＮ」のときは、撮像部２２を通して取得された映像が表示部２８にスルー画として表示されている状態になる。また、ＬＶ状態が「ＯＦＦ」のときは、表示部２８にスルー画が表示されていない状態になる。
【００４１】
ステップＳ３０２で、システム制御部５０は、ミラーアップされているか否かを判定する。ミラーアップされている場合、ステップＳ３０３に進み、そうでない場合、ステップＳ３０４に進む。
ステップＳ３０３で、システム制御部５０は、ミラーダウンを行う。ミラーダウンすることで、ファインダ撮影としての適切な撮影動作を実施することができる。
ステップＳ３０４で、システム制御部５０は、制御変数となるＬＶ撮影専用機能が「ＴＲＵＥ」かつ復帰状態が「ＬＶ撮影」であるか否かを判定する。ＬＶ撮影専用機能が「ＴＲＵＥ」かつ復帰状態が「ＬＶ撮影」である場合、ステップＳ３０５に進み、そうでない場合、ステップＳ３０６に進む。
【００４２】
ステップＳ３０５で、システム制御部５０は、表示部２８に、ＬＶ撮影への遷移を促すガイダンスを表示する。図８（ａ）は、ガイダンス画面の例を示す図である。表示部２８に表示するガイダンス画面８００には、ガイダンス８０１が表示される。ガイダンス８０１には、オートパワーオフ前に利用していた撮影機能がＬＶ撮影専用の撮影機能であり、ファインダ撮影モードでは利用できない旨と、ＬＶ撮影モードへの遷移を促す旨が記載されている。
ステップＳ３０６で、システム制御部５０は、表示部２８にファインダ撮影モードにおける撮影情報表示を行う。ファインダ撮影オードにおける撮影情報表示は一般的な表示であるため、その説明を割愛する。
【００４３】
ステップＳ３０７で、システム制御部５０は、ミラーダウンされているか否かを判定する。ミラーダウンされている場合、ステップＳ３０８に進み、そうでない場合、ステップＳ３０９に進む。
ステップＳ３０８で、システム制御部５０は、ミラーアップを行う。ミラーアップすることで、ＬＶ撮影としての適切な撮影動作を実施することができる。
ステップＳ３０９で、システム制御部５０は、撮像部２２を通して取得された映像を、表示部２８にスルー画として表示する。
ステップＳ３１０で、システム制御部５０は、表示部２８にＬＶ撮影モードにおける撮影情報表示を行う。ＬＶ撮影モードにおける撮影情報表示は一般的な表示であるため、その説明を割愛する。
【００４４】
このように、ＬＶ撮影モードでＬＶ撮影専用の撮影機能の設定を行った状態で、オートパワーオフ状態になった場合、その後に電源オン状態になったとき、ＬＶ撮影モードへの遷移を促すガイダンスをユーザに通知する。
【００４５】
図５の説明に戻って、ステップＳ２０３で、システム制御部５０は、ＭＥＮＵボタン７９が押されたか否かを判定する。ＭＥＮＵボタン７９が押された場合、ステップＳ２０４に進み、そうでない場合、ステップＳ２０７に進む。
ステップＳ２０４で、システム制御部５０は、制御変数となるＬＶ状態が「ＯＦＦ」かつ復帰状態が「ＬＶ撮影」であるか否かを判定する。ＬＶ状態が「ＯＦＦ」かつ復帰状態が「ＬＶ撮影」である場合、ステップＳ２０５に進み、そうでない場合、ステップＳ２０６に進む。
ステップＳ２０５で、システム制御部５０は、操作無効のため操作を無視する。或いは、操作無効であることを表示部２８にガイダンス画面として表示する等してユーザに通知してもよい。その後、ステップＳ２１９に進む。
【００４６】
ステップＳ２０６で、システム制御部５０は、ＭＥＮＵ画面表示処理を行う。その後、ステップＳ２１９に進む。
ここで、図７を参照して、ＭＥＮＵ画面表示処理の詳細を説明する。図７は、ステップＳ２０６のＭＥＮＵ画面表示処理の詳細を説明するためのフローチャートである。
ステップＳ４０１で、システム制御部５０は、表示部２８にＭＥＮＵ画面を表示する。図９（ａ）〜（ｅ）を参照して、ＭＥＮＵ画面について説明する。図９（ａ）〜（ｅ）は、ＭＥＮＵ画面の例を示す図である。
図９（ａ）に示すように、撮影設定画面には、撮影機能９０１が一覧表示される。十字キー７４を操作することでカーソル９０２を移動させ、ＳＥＴボタン７５を押すことで任意の撮影機能を選択し、その設定変更画面に遷移する。
図９（ａ）の撮影設定画面で「フォーカスブラケット撮影 ＯＮ」９０１が選択されると、図９（ｂ）に示すように、フォーカスブラケット撮影設定画面に遷移する。フォーカスブラケット撮影設定画面では、機能タイトル９０３と、設定項目９０４〜９０６とが表示される。各設定項目９０４〜９０６には、それに対する設定内容が表示されている。
設定項目９０４は、フォーカスブラケット撮影機能の使用の有無を示す設定項目である。その設定画面は図９（ｃ）に示す通りであり、ユーザは選択肢９０７の中から設定値を選択する。「する」設定の他に、「しない」設定を選択可能である。
設定項目９０５は、フォーカスブラケット撮影における撮影回数を示す設定項目である。その設定画面は図９（ｄ）に示す通りであり、ユーザは３桁の数字を変更することで撮影回数を設定する。初期値は１００となっており、ここでは、百の位にフォーカスが当たっていてこの数値を変更できる状態になっている。指標９０９、指標９１０が表示されており、十字キー７４を操作するか、各指標へのタッチ操作を行うことで数値を変更することができる。また、撮影回数の設定を確定させるためのＯＫボタン９１１、キャンセルするためのキャンセルボタン９１２が配置されている。
設定項目９０６は、フォーカスブラケット撮影におけるフォーカスステップ幅を示す設定項目である。その設定画面例は図９（ｅ）に示す通りであり、ユーザは１〜９の１桁の数字を変更することでステップ幅を設定する。初期値は４となっている。指標９１３、指標９１４が表示されており、十字キー７４を操作するか、各指標へのタッチ操作を行うことで数値を変更することができる。また、ステップ幅の設定を確定させるためのＯＫボタン９１５、キャンセルするためのキャンセルボタン９１６が配置されている。
【００４７】
ステップＳ４０２で、システム制御部５０は、ステップＳ４０１において選択された撮影機能がＬＶ撮影専用の撮影機能であるか否かを判定する。ＬＶ撮影専用の撮影機能である場合、ステップＳ４０３に進み、そうでない場合、ステップＳ４０４に進む。
ステップＳ４０３で、システム制御部５０は、ＬＶ撮影専用機能を「ＴＲＵＥ」に設定する。
ステップＳ４０４で、システム制御部５０は、ＬＶ撮影専用機能を「ＦＡＬＳＥ」に設定する。
このように、ＭＥＮＵ画面で選択した撮影機能に従って、ＬＶ撮影専用の撮影機能の設定を行うことができる。
【００４８】
図５の説明に戻って、ステップＳ２０７で、システム制御部５０は、ＬＶボタン７６が押されたか否かを判定する。ＬＶボタン７６が押された場合、ステップＳ２０８に進み、そうでない場合、ステップＳ２１１に進む。
ステップＳ２０８で、システム制御部５０は、制御変数となるＬＶ状態を判定する。ＬＶ状態が「ＯＦＦ」である場合、ステップＳ２０９に進み、ＬＶ状態が「ＯＮ」である場合、ステップＳ２１０に進む。
ステップＳ２０９で、システム制御部５０は、ＬＶ状態を「ＯＮ」に設定する。その後、ステップＳ２１９に進む。
ステップＳ２１０で、システム制御部５０は、ＬＶ状態を「ＯＦＦ」に設定する。その後、ステップＳ２１９に進む。
【００４９】
ステップＳ２１１で、システム制御部５０は、第１シャッタースイッチ６２及び第２シャッタースイッチ６４がオンになったか否かを判断する。第１シャッタースイッチ６２及び第２シャッタースイッチ６４がオンになった場合、ステップＳ２１２に進み、そうでない場合、ステップＳ２１５に進む。
ステップＳ２１２で、システム制御部５０は、ステップＳ２０４と同様、制御変数となるＬＶ状態が「ＯＦＦ」かつ復帰状態が「ＬＶ撮影」であるか否かを判定する。ＬＶ状態が「ＯＦＦ」かつ復帰状態が「ＬＶ撮影」である場合、ステップＳ２１３に進み、そうでない場合、ステップＳ２１４に進む。
ステップＳ２１３で、ステップＳ２０５と同様の処理を行う。その後、ステップＳ２１９に進む。
ステップＳ２１４で、システム制御部５０は、撮像部２２からの信号読み出しから記録媒体２００に画像データを書き込むまでの一連の撮影処理を行う。その後、ステップＳ２１９に進む。
【００５０】
ステップＳ２１５で、システム制御部５０は、操作部７０により撮影モード終了操作が行われたか否かを判定する。撮影モード終了操作が行われた場合、ステップＳ２１９に進み、そうでない場合、ステップＳ２１６に進む。
ステップＳ２１６で、システム制御部５０は、ステップＳ２０４と同様、制御変数となるＬＶ状態が「ＯＦＦ」かつ復帰状態が「ＬＶ撮影」であるか否かを判定する。ＬＶ状態が「ＯＦＦ」かつ復帰状態が「ＬＶ撮影」である場合、ステップＳ２１７に進み、そうでない場合、ステップＳ２１８に進む。
ステップＳ２１７で、ステップＳ２０５と同様の処理を行う。
ステップＳ２１８で、システム制御部５０は、その他の処理を行う。例えば操作部７０が操作されたことに応じて、シャッタースピードを変更する等の処理を行う。
【００５１】
ステップＳ２１９で、システム制御部５０は、システムタイマー５３を停止し、オートパワーオフタイマーのカウントをリセットする。
【００５２】
以上述べたように、ＬＶ撮影モードでＬＶ撮影専用の撮影機能の設定を行った状態で、オートパワーオフ状態になる際に、ＬＶ撮影専用の撮影機能の設定を記憶する。その後に電源オン状態になったとき、ファインダ撮影モードに遷移するが、ＬＶ撮影モードへの遷移を促すガイダンスが表示される。これにより、オートパワーオフ前の状態に簡単に戻ることができる。
【００５３】
本実施形態では、ステップＳ３０４において、ＬＶ撮影専用機能が「ＴＲＵＥ」かつ復帰状態が「ＬＶ撮影」であるか否かを判定基準としたが、バリアングルモニタ２６の位置を判定基準に加えてもよい。バリアングルモニタ２６の位置によってはガイダンス表示を見ることができないので、例えば図３（ｂ）に示す位置にあるときには、ＬＶ撮影への遷移を促すガイダンスを表示しないようにしてもよい。
【００５４】
また、ステップＳ１０９、ステップＳ１１０において、オートパワーオフタイマーがオートパワーオフ時間を満了したときに一律で撮影設定を記憶するようにしたが、他の条件を加えてもよい。例えばオートパワーオフタイマーがオートパワーオフ時間を満了したことに加えて、カメラ１００を三脚等の支持台に設置することが検知された場合に、ステップＳ１１０で撮影設定を記憶するようにしてもよい。支持台に設置する場合は作業時間がかかり、オートパワーオフ状態になる可能性が高くなるためである。また、オートパワーオフ時間が所定の時間よりも短い場合に、ステップＳ１１０で撮影設定を記憶するようにしてもよい。オートパワーオフ時間が長い場合、撮影被写体が消失して撮影設定を保持する必然性が低くなるためである。
【００５５】
［第２の実施形態］
次に、第２の実施形態を説明する。第２の実施形態に係るカメラ１００の構成及び基本的な処理動作は第１の実施形態と同様であり、以下では、第１の実施形態との共通点の説明を省略し、第１の実施形態との相違点を説明する。
第１の実施形態では、図５に示すように、ＬＶ撮影モードへの遷移を促すガイダンス表示中は、ＬＶボタン７６以外の、撮影操作等の操作を無効とする。しかしながら、この場合、オートパワーオフ状態からの復帰時にとっさに被写体が現れたとき、撮り逃してしまい機会損失につながるおそれがある。
そこで、第２の実施形態では、ＬＶ撮影モードへの遷移を促すガイダンス表示中にも、撮影操作等の操作を受け付けて、その操作に基づく処理を実行する。
【００５６】
図１０は、ステップＳ１０６の撮影モード処理の詳細を説明するためのフローチャートである。
第２の実施形態では、図５と比較して、ステップＳ２１３をステップＳ２２０〜Ｓ２２２に変更し、ステップＳ２１７をステップＳ２２３〜Ｓ２２５に変更する。
【００５７】
ステップＳ２２０で、システム制御部５０は、撮像部２２からの信号読み出しから記録媒体２００に画像データを書き込むまでの一連の撮影処理を行う。
ステップＳ２２１で、システム制御部５０は、システムメモリ５２に記憶される復帰状態を「ファインダ撮影」に設定する。
ステップＳ２２２で、システム制御部５０は、システムメモリ５２の撮影設定を忘れる。ここで、撮影設定を忘れるとは、上述した自分撮り機能の使用の有無を示す設定項目や、フォーカスブラケット撮影機能の使用の有無を示す設定項目等を初期設定にすることを意味する。例えばフォーカスブラケット撮影機能の設定としては、撮影回数やステップ幅をシステムメモリ５２に記憶するが、フォーカスブラケット撮影の「する」設定（フォーカスブラケット撮影機能の使用有り）は忘れ、初期設定となる「しない」設定（フォーカスブラケット撮影機能の使用無し）にする。電源オフ操作により電源オフ状態になり、その後に電源オン状態になったときにファインダ撮影モードに遷移するが、ファインダ撮影モードではフォーカスブラケット撮影機能は利用できないためである。その後、ステップＳ２１９に進む。
【００５８】
ステップＳ２２３で、ステップＳ２１８と同様の処理を行う。
ステップＳ２２４で、ステップＳ２２１と同様の処理を行う。
ステップＳ２２５で、ステップＳ２２２と同様の処理を行う。
【００５９】
このように、ＬＶ撮影モードへの遷移を促すガイダンス表示中にも、撮影操作等の操作を受け付けて、その操作に基づく処理を実行し、ＬＶ撮影への遷移を促すガイダンスをキャンセルする。これにより、オートパワーオフ状態からの復帰時にとっさに被写体が現れたときにも、撮り逃しを少なくすることができる。
【００６０】
［第３の実施形態］
次に、第３の実施形態を説明する。第３の実施形態に係るカメラ１００の構成及び基本的な処理動作は第１の実施形態と同様であり、以下では、第１の実施形態との共通点の説明を省略し、第１の実施形態との相違点を説明する。
第１の実施形態では、ＬＶ撮影モードへの遷移を促すガイダンスを表示するようにした。
ここで、オートパワーオフ前の状態に戻るためには、ＬＶ撮影モードへの遷移を促すだけでなく、ＬＶ撮影専用の撮影機能を利用可能な状態にする操作等が必要になる場合もある。
そこで、第３の実施形態では、オートパワーオフ前の状態に戻るための複数のガイダンスを表示する。
【００６１】
図１１は、カメラ１００のカメラ起動処理を示すフローチャートである。
第３の実施形態では、図４と比較して、ステップＳ１０１をステップＳ１２１に変更する。
ステップＳ１２１で、システム制御部５０は、図４のステップＳ１０１と同様、フラグや制御変数等を初期化して、復帰状態を「ファインダ撮影」に初期設定し、ＬＶ撮影専用機能を「ＦＡＬＳＥ」に初期設定する。更に、システム制御部５０は、専用機能名を「なし」に初期設定する。専用機能名は、ＬＶ撮影専用の撮影機能名を示し、「なし」、「自分撮り機能」、「フォーカスブラケット撮影機能」がある。
【００６２】
次に、図１２を参照して、表示処理を説明する。図１２は、ステップＳ２０２の表示処理の詳細を説明するためのフローチャートである。
第３の実施形態では、図６と比較して、ステップＳ３０８の後にステップＳ３１１〜Ｓ３１３を追加する。
ステップＳ３０８においてミラーアップが行われた後、ステップＳ３１１で、システム制御部５０は、制御変数となるＬＶ撮影専用機能が「ＴＲＵＥ」かつ復帰状態が「ＬＶ撮影」であるか否かを判定する。ＬＶ撮影専用機能が「ＴＲＵＥ」かつ復帰状態が「ＬＶ撮影」である場合、ステップＳ３１２に進み、そうでない場合、ステップＳ３０９に進む。
【００６３】
ステップＳ３１２で、システム制御部５０は、制御変数となる専用機能名が「自分撮り機能」であるか否かを判定する。専用機能名が「自分撮り機能」である場合、ステップＳ３１３に進み、そうでない場合、ステップＳ３０９に進む。
【００６４】
ステップＳ３１３で、システム制御部５０は、表示部２８に、バリアングルモニタ２６の位置を変更することを促すガイダンスを表示する。図８（ｂ）は、ガイダンス画面の例を示す図である。表示部２８に表示するガイダンス画面８０２には、ガイダンス８０３が表示される。ガイダンス８０３には、バリアングルモニタ２６の向きを対面方向に変更することを促す旨が記載されている。自分撮り機能を利用する場合、図３（ｄ）に示すように、表示部２８が正面方向を向き、被写体に対面して、被写体側から表示部２８を見ることができるようにすることが必要になるからである。
【００６５】
次に、図１３を参照して、ＭＥＮＵ画面表示処理の詳細を説明する。図１３は、ステップＳ２０６のＭＥＮＵ画面表示処理の詳細を説明するためのフローチャートである。
第３の実施形態では、図７と比較して、ステップＳ４０３の後にステップＳ４０５を追加する。
ステップＳ４０５で、システム制御部５０は、制御変数となる専用機能名を設定する。例えば自分撮り機能を有効にした場合は「自分撮り機能」、フォーカスブラケット撮影機能を有効にした場合は「フォーカスブラケット撮影機能」を設定する。
【００６６】
このように、ＬＶ撮影モードへの遷移を促すガイダンスだけでなく、ＬＶ撮影専用の撮影機能を利用可能な状態にするためのガイダンスをユーザに通知することができる。
【００６７】
本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
上述した実施形態においては、システム制御部５０が制御を行うものとして説明したが、１つのハードウェアが制御を行うようにしてもよいし、複数のハードウェア（例えば複数のプロセッサや回路）が処理を分担することで制御を行うようにしてもよい。
上述した実施形態においては、本発明をデジタル一眼レフカメラに適用した例を説明したが、これに限られるものではなく、ファインダ撮影モードとライブビュー撮影モードとを切り替える撮像装置であれば適用可能である。
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００６８】
２８：表示部、５０：システム制御部、５２：システムメモリ、５６：不揮発性メモリ、７２：電源スイッチ、１００：デジタルカメラ
【図１】
2020118860.tif 000003
【図２】
2020118860.tif 000004
【図３】
2020118860.tif 000005
【図４】
2020118860.tif 000006
【図５】
2020118860.tif 000007
【図６】
2020118860.tif 000008
【図７】
2020118860.tif 000009
【図８】
2020118860.tif 000010
【図９】
2020118860.tif 000011
【図１０】
2020118860.tif 000012
【図１１】
2020118860.tif 000013
【図１２】
2020118860.tif 000014
【図１３】
2020118860.tif 000015